(57)【要約】【課題】長時間安定して充電できるとともに、複数の携帯型電子機器を同時に充電できる携帯型充電装置を提供すること。【解決手段】外部の携帯型電子機器と接続される電池側給電端子部と、外部電源と接続される電池側充電端子部と、を有する携帯型蓄電池１１と、各携帯型蓄電池１１の電池側給電端子部と携帯型電子機器との接続を可能にしつつ、複数の携帯型蓄電池１１を個別に収容する筐体部２２と、各携帯型蓄電池１１から電力供給されて携帯型電子機器へ給電する給電部と、外部電源から電力供給されて携帯型蓄電池１１を充電する充電部と、を有する結合装置１２と、を備え、筐体部２２に携帯型蓄電池１１が収容された状態で、携帯型蓄電池１１と給電部及び充電部とを電気的に接続する電池側接続部が携帯型蓄電池１１に配され、かつ電池側接続部と接続される結合側接続部２３が結合装置１２に配されている。【選択図】図１
2014207829.tif 000002
【特許請求の範囲】
【請求項１】
外部の携帯型電子機器と接続される電池側給電端子部と、外部電源と接続される電池側充電端子部と、を有する携帯型蓄電池と、
各前記携帯型蓄電池の前記電池側給電端子部と前記携帯型電子機器との接続を可能にしつつ、複数の前記携帯型蓄電池を個別に収容する筐体部と、各前記携帯型蓄電池から電力供給されて前記携帯型電子機器へ給電する給電部と、外部電源から電力供給されて前記携帯型蓄電池を充電する充電部と、を有する結合装置と、
を備え、
前記筐体部に前記携帯型蓄電池が収容された状態で、前記携帯型蓄電池と前記給電部及び前記充電部とを電気的に接続する電池側接続部が前記携帯型蓄電池に配され、かつ前記電池側接続部と接続される結合側接続部が前記結合装置に配されていることを特徴とする携帯型充電装置。
【請求項２】
前記携帯型蓄電池が、前記電池側接続部と前記結合側接続部とが接続された状態を検知して前記携帯型蓄電池を稼働状態にする電池側制御部を備えていることを特徴とする請求項１に記載の携帯型充電装置。
【発明の詳細な説明】
【技術分野】
【０００１】
本発明は、独立して使用可能な携帯型蓄電池を複数収容する携帯型充電装置に関する。
【背景技術】
【０００２】
近年、スマートフォンやタブレット型端末、携帯型のデータ通信機器といった携帯型電子機器は、その利用状況によってはすぐに電力不足となってしまうため、室外でもこれら携帯型電子機器の充電を手軽に行いたいという要求が増えている。そのため、携帯型電子機器とともにこれら機器を充電するための携帯型蓄電池を携帯する場合が多い。
【発明の概要】
【発明が解決しようとする課題】
【０００３】
しかしながら、長時間にわたって室外で使用し続ける場合には、携帯型蓄電池を予め充電しておいても一つ携帯型蓄電池だけでは携帯型電子機器の充電が不十分になる場合もある。これを避けるために、複数の携帯型蓄電池を持ち歩き、充電が不足する都度、新たな携帯型蓄電池と交換する場合もあるが、交換作業が煩わしい。さらに、同時に複数の携帯型電子機器を充電したい場合には、携帯型蓄電池をそれぞれの携帯型電子機器に個別に接続しなければならず、すべての電子機器への充電が完了するまでの時間も長くなってしまう。
【０００４】
本発明は上記事情に鑑みて成されたものであり、複数の携帯型蓄電池をその都度交換しなくても携帯型電子機器を長時間安定して充電することができるとともに、複数の携帯型電子機器を同時に充電することができる携帯型充電装置を提供することを目的とする。
【課題を解決するための手段】
【０００５】
本発明は、上記課題を解決するため、以下の手段を採用する。
本発明に係る携帯型充電装置は、外部の携帯型電子機器と接続される電池側給電端子部と、外部電源と接続される電池側充電端子部と、を有する携帯型蓄電池と、各前記携帯型蓄電池の前記電池側給電端子部と前記携帯型電子機器との接続を可能にしつつ、複数の前記携帯型蓄電池を個別に収容する筐体部と、各前記携帯型蓄電池から電力供給されて前記携帯型電子機器へ給電する給電部と、外部電源から電力供給されて前記携帯型蓄電池を充電する充電部と、を有する結合装置と、を備え、前記筐体部に前記携帯型蓄電池が収容された状態で、前記携帯型蓄電池と前記給電部及び前記充電部とを電気的に接続する電池側接続部が前記携帯型蓄電池に配され、かつ前記電池側接続部と接続される結合側接続部が前記結合装置に配されていることを特徴とする。
【０００６】
この発明は、複数の携帯型蓄電池を筐体部に収容することにより、結合側接続部と電池側接続部とが接続され、各携帯型蓄電池と結合装置の給電部とが接続される。したがって、給電部と外部の携帯型電子機器とを電気的に接続することにより、単独の携帯型蓄電池よりも大容量で携帯型電子機器に電源供給することができる。
【０００７】
この際、各携帯型蓄電池と結合装置の充電部とも接続される。したがって、外部電源と充電部とを接続することにより、結合装置を介して複数の携帯型蓄電池自体を一度に充電することができる。
【０００８】
また、各携帯型蓄電池が結合装置の筐体部に収容された状態でも外部の携帯型電子機器と携帯型蓄電池の電池側給電端子部とをそれぞれ直接接続することができ、複数の携帯型電子機器に対して同時かつ個別に各携帯型蓄電池から電源供給することができる。
【０００９】
また、本発明に係る携帯型充電装置は、前記携帯型充電装置であって、前記携帯型蓄電池が、前記電池側接続部と前記結合側接続部とが接続された状態を検知して前記携帯型蓄電池を稼働状態にする電池側制御部を備えていることを特徴とする。
【００１０】
この発明は、携帯型蓄電池を筐体部に収容するだけで携帯型蓄電池単体を直接操作しなくてもこれを稼働させることができる。
【発明の効果】
【００１１】
本発明によれば、複数の携帯型蓄電池をその都度交換しなくても携帯型電子機器を長時間安定して充電することができるとともに、複数の携帯型電子機器を同時に充電することができる。
【図面の簡単な説明】
【００１２】
【図１】本発明の一実施形態に係る携帯型充電装置に携帯型蓄電池を配した状態を示す要部斜視図である。
【図２】本発明の一実施形態に係る携帯型充電装置の携帯型蓄電池を示す正面図、平面図、側面図である。
【図３】本発明の一実施形態に係る携帯型充電装置の電気的な概略構成を示す説明図である。
【図４】本発明の一実施形態に係る携帯型充電装置の結合装置全体の外観を示す正面図、平面図、側面図である。
【発明を実施するための形態】
【００１３】
本発明に係る一実施形態について、図１から図４を参照して説明する。
本実施形態に係る携帯型充電装置１０は、図１に示すように、携帯型蓄電池１１と、この携帯型蓄電池１１を収容する結合装置１２と、を備えている。
【００１４】
携帯型蓄電池１１は、図２及び図３に示すように、外部の携帯型電子機器Ｅ１と接続される電池側給電端子部１３と、外部電源Ｐと接続される電池側充電端子部１５と、結合装置１２と接続される電池側接続部１６と、充放電を制御する電池側制御部１７と、これらをつなぐ電池側給電回路部１８及び電池側充電回路部１９と、を備えている。この携帯型蓄電池１１には、携帯型蓄電池１１を単独でも稼働状態にするための電源スイッチ２０や、バッテリ残量を表示する表示部２１がさらに配されているようになっている。
【００１５】
電池側接続部１６は、結合装置１２を介して携帯型蓄電池１１を充電するための電池側入力端子１６Ａと、結合装置１２を介して携帯型電子機器Ｅ１へ電力供給するための電池側出力端子１６Ｂと、電池側ＧＮＤ端子１６Ｃと、結合装置１２からの識別信号入力端子１６Ｄと、を備えている。電池側制御部１７は、電池側接続部１６が結合装置１２の後述する結合側接続部２３と接続されることにより結合装置１２からの信号を受けて携帯型蓄電池１１を稼働状態にするとともに、充放電管理や過充電・過放電の防止、昇圧等を行うための回路を有する構成となっている。
【００１６】
結合装置１２は、図１、図３及び図４に示すように、携帯型蓄電池１１の電池側給電端子部１３と携帯型電子機器Ｅ２との直接接続を可能にしつつ、複数の携帯型蓄電池１１を個別に収容する筐体部２２と、電池側接続部１６と接続される結合側接続部２３と、各携帯型蓄電池１１から電力供給されて携帯型電子機器Ｅ１，Ｅ２へ給電する給電部２５と、外部電源Ｐから電力供給されて携帯型蓄電池１１を充電する充電部２６と、筐体部２２と係合されて収容された携帯型蓄電池１１を覆うカバー２７と、を備えている。
【００１７】
筐体部２２には、携帯型蓄電池１１が収容される収納部２２Ａと、カバー２７が取り付けられた状態でも携帯型電子機器Ｅ２と収納部２２Ａに収容された携帯型蓄電池１１の各電池側給電端子部１３とを直接接続するためのケーブルＣ１が挿通可能な開口を形成するための溝２２Ｂと、が形成されている。図中、収納部２２Ａが３つの携帯型蓄電池１１を収容できるように形成されているが、３つに限定されることはない。なお、ケーブルＣ１が挿通できればよいので、溝２２Ｂは孔等であってもよい。
【００１８】
結合側接続部２３は、結合装置１２を介して携帯型蓄電池１１を充電するための結合側出力端子２３Ａと、結合装置１２を介して携帯型電子機器Ｅ１へ電力供給するための結合側入力端子２３Ｂと、結合側ＧＮＤ端子２３Ｃと、携帯型蓄電池１１への識別信号出力端子２３Ｄと、を備えている。識別信号出力端子２３Ｄは抵抗２４Ａを介してＧＮＤ２４Ｂと接続されている。
【００１９】
給電部２５は、携帯型電子機器Ｅ１と接続される統合給電端子部２５Ａと、この統合給電端子部２５Ａと結合側入力端子２３Ｂとをつなぐ結合側給電回路部２５Ｂと、を備えている。
充電部２６は、外部電源Ｐと接続される統合充電端子部２６Ａと、この統合充電端子部２６Ａと結合側出力端子２３Ａとをつなぐ結合側充電回路部２６Ｂと、を備えている。
【００２０】
次に、本実施形態に係る携帯型充電装置１０の作用について説明する。
携帯型充電装置１０を使用して一つの携帯型電子機器Ｅ２を充電する際には、まずは、カバー２７を取り外した状態で筐体部２２の収納部２２Ａに各携帯型蓄電池１１をそれぞれ収容する。この際、電池側接続部１６と結合側接続部２３とがそれぞれ電気的に接続される。
【００２１】
すなわち、電池側出力端子１６Ｂと結合側入力端子２３Ｂとが接続され、識別信号入力端子１６Ｄと識別信号出力端子２３Ｄとが接続される。
【００２２】
この際、ＧＮＤ２４Ｂ信号が、識別信号入力端子１６Ｄから携帯型蓄電池１１の電池側給電回路部１８を経由して電池側制御部１７に入力される。これに基づき、電池側制御部１７が携帯型蓄電池１１を稼働状態にする。この状態で結合装置１２の統合給電端子部２５ＡにケーブルＣ１を接続することにより、結合側給電回路部２５Ｂを介して携帯型電子機器Ｅ２への充電を開始する。
【００２３】
一方、各携帯型蓄電池１１に別々の携帯型電子機器Ｅ１を接続して充電する場合には、携帯型蓄電池１１が収納部２２Ａに収容された状態のまま、ケーブルＣ１を溝２２Ｂに挿通して電池側給電端子部１３と携帯型電子機器Ｅ１とをそれぞれケーブルＣ１にて直接接続する。
【００２４】
この際、上述のように、携帯型蓄電池１１が収納部２２Ａに収容された時点で携帯型蓄電池１１が稼働状態となっているので、このまま各携帯型蓄電池１１が携帯型電子機器Ｅ１を充電する。
【００２５】
次に、携帯型充電装置１０を使用して複数の携帯型蓄電池１１を充電する際には、カバー２７を取り外した状態で携帯型蓄電池１１を筐体部２２の収納部２２Ａにそれぞれ収容する。この際、電池側接続部１６と結合側接続部２３とが電気的に接続される。すなわち、電池側入力端子１６Ａと結合側出力端子２３Ａとが接続される。
【００２６】
そして、外部電源Ｐと統合充電端子部２６Ａとを接続する。この際、外部電源Ｐと携帯型蓄電池１１とが、結合装置１２の結合側充電回路部２６Ｂを介して接続され、各携帯型蓄電池１１が同時に充電される。
【００２７】
この携帯型充電装置１０によれば、携帯型蓄電池１１を筐体部２２の収納部２２Ａに収容することにより、結合側接続部２３と電池側接続部１６とが接続され、各携帯型蓄電池１１と結合装置の給電部２５とが接続される。したがって、給電部２５と外部の携帯型電子機器Ｅ１とを電気的に接続することにより、単独の携帯型蓄電池１１よりも大容量で携帯型電子機器Ｅ１に電源供給することができる。
【００２８】
また、複数の携帯型蓄電池１１における残存容量にばらつきがあっても、何れかの携帯型蓄電池１１の容量がある限り携帯型電子機器Ｅ１を充電することができる。
【００２９】
さらに、各携帯型蓄電池１１と結合装置１２の充電部２６とが接続されるので、外部電源Ｐと充電部２６とを接続することにより、結合装置１２を介して複数の携帯型蓄電池１１を同時に充電することができる。
【００３０】
また、各携帯型蓄電池１１が、結合装置１２の筐体部２２の収納部２２Ａに収容された状態でも、溝２２ＢにケーブルＣ１を挿通させることによって外部の携帯型電子機器Ｅ１と携帯型蓄電池１１の電池側給電端子部１３とをそれぞれ直接接続することができる。したがって、複数の携帯型電子機器Ｅ２に対して同時かつ個別に各携帯型蓄電池１１から電源供給することができる。
【００３１】
なお、携帯型蓄電池１１を単独で充電する際には、外部電源Ｐと電池側充電端子部１５とを直接接続することにより充電することができる。
【００３２】
なお、本発明の技術範囲は上記実施の形態に限定されるものではなく、本発明の趣旨を逸脱しない範囲において種々の変更を加えることが可能である。
例えば、上記実施形態では、携帯型蓄電池１１を筐体部２２の収納部２２Ａに収容することにより携帯型蓄電池１１が自動的に稼働状態となるが、これに限らず、収容後、携帯型蓄電池１１の電源スイッチ２０を操作してはじめて稼働状態となるようにしてもよい。
【符号の説明】
【００３３】
１０  携帯型充電装置
１１  携帯型蓄電池
１２  結合装置
１３  電池側給電端子部
１５  電池側充電端子部
１６  電池側接続部
１７  電池側制御部
１８  回路部
２２  筐体部
２２Ａ  収納部
２２Ｂ  溝
２３  結合側接続部
２５  給電部
２６  充電部
Ｅ１，Ｅ２  携帯型電子機器
Ｐ  外部電源
【図１】
2014207829.tif 000003
【図２】
2014207829.tif 000004
【図３】
2014207829.tif 000005
【図４】
2014207829.tif 000006